(57)【要約】      （修正有）【課題】ティッシュボックスホルダーを小型で軽量化し簡単な構成とし、自動車用としては、オーバーヘッド部分やシートの脇、さらにシートの背中面など、どこの場所でも簡単に固定設置出来、家庭の室内においてもベッドの手すりや脇、テーブルの下面など任意の設置場所に簡単に取り付け、置き場所が定まるものを提供する。【解決手段】ティッシュボックスホルダー１の差し込み部６を、ティッシュボックスの外装の両隙間に差し込み、差し込み部６により内面を押し広げ、ティッシュボックスホルダー本体の支え部４と止め部７により強固に保持し、出来る限り軽量化出来、引っ掛け部８や挟み込み部２、さらに止め部７により自動車車内や家庭内のベッド回り、テーブルの下面など任意の設置場所へ固定設置できるようにした。【選択図】図１
2015044596.tif 000002
【特許請求の範囲】
【請求項１】
ティッシュボックス両隅の短辺の両すきまに差し込み部を差し入れ、差し込み部と支え部との反発作用、すなわちバネの作用を発生させ差し込み部がティッシュボックスの内側より外側に向かって押し広げ、ティッシュボックス底面を支え部にて押し作用により、強固に保持できるように形成したことを特徴とするティッシュボックスホルダー。
【請求項２】
差し込み部と相対するティッシュボックスの底面の端と支え部の上方に設けた止め部により、強固にティッシュボックスを保持するように形成したことを特徴とする請求項１記載のティッシュボックスホルダー。
【請求項３】
複数の差し込み部と複数の支え部を形成したことを特徴とする請求項１から２記載のティッシュボックスホルダー。
【請求項４】
差し込み部がティッシュボックスの内面を前後左右に押し広げることが出来るように差し込み部の向きを形成したことを特徴とする請求項１または３に記載のティッシュボックスホルダー。
【請求項５】
差し込み部の先端を差し込みやすいように細くまたは、とがらせたり平たくしたことを特徴とする請求項１から４に記載のティッシュボックスホルダー。
【請求項６】
差し込み部にティッシュボックスの内面の外装紙に引っ掛かりやすくするために傘やトゲさらに切れ込みを一以上形成したことを特徴とする請求項１から５に記載のティッシュボックスホルダー。
【請求項７】
自動車のシートの脇にティッシュボックスを設置出来るように、ほぼコの字型でシートを挟みこめ、さらに支え部と差し込み部が中央部分となるように形成したことを特徴とする請求項１から６に記載のティッシュボックスホルダー。
【請求項８】
車のシートの背中面にティッシュボックスを設置出来るように、ほぼコの字型でシートを挟みこめ、さらに支え部と差し込み部が少なくとも左か右に位置するように形成したことを特徴とする請求項１から７に記載のティッシュボックスホルダー。
【請求項９】
パイプ材や合成樹脂さらに金属などで形成したことを特徴とする請求項１から８に記載のティッシュボックスホルダー。
【請求項１０】
被設置体との接触部分に弾性体などをすべり防止材としてコーティングしたり配設したことを特徴とする請求項１から９に記載のティッシュボックスホルダー。
【発明の詳細な説明】
【技術分野】
【０００１】
本発明は、自動車用及び室内用のティッシュボックスのホルダー関するものである。        
【背景技術】
【０００２】
従来のティッシュボックスホルダーは、自動車用としては、シートのヘッドレストにぶらさげ、シートの後ろ面につりさげるものがあり、自動車の走行中などブラブラして取り出しにくく、交通安全上危険であり大変使いづらいものであった。また、家庭の室内用では、ティッシュボックスの左右の隅にヘアピン状に曲げた線材による、ティッシユボックスホルダーはあったが、ボックスの保持力が弱く使い勝手が悪かった。
【先行技術文献】
【特許文献】
【０００３】
【特許文献１】特開２００５一２３９２８４号公報
【発明の概要】
【発明が解決しようとする課題】
【０００４】
しかしながら、自動車用のティッシュボックスホルダーにおいては、移動中などブラブラして動くため取り出しにくく、交通安全上危険であつた。家庭内用のティッシュボックスホルダーは、保持力が弱く、医療用、介護用ベッド周りに設置場所がなく大変不便であった。自動車用及び室内用どちらにおいても、使い勝手が悪いという問題点があった。
【課題を解決するための手段】
【０００５】
ティッシュボックス両隅の短辺の両すきまに差し込み部を差し入れ、差し込み部と支え部との反発作用、すなわちバネの作用を発生させ差し込み部がティッシュボックスの内側より外側に向かって押し広げ、ティッシュボックス底面を支え部にて押し作用により、強固に保持できるように形成したことである。
【０００６】
差し込み部と相対するティッシュボックスの底面の端と支え部の上方に設けた止め部により、強固にティッシュボックスを保持するように形成したことである。
【０００７】
複数の差し込み部と複数の支え部を形成したことである。
【０００８】
差し込み部がティッシュボックスの内面を前後左右に押し広げることが出来るように差し込み部の向きを形成したことである。
【０００９】
差し込み部の先端を差し込みやすいように細くまたは、とがらせたり平たくしたことである。
【００１０】
差し込み部にティッシュボックスの内面の外装紙に引っ掛かりやすくするために傘やトゲさらに切れ込みを一以上形成したことである。
【００１１】
車のシートの脇にティッシュボックスを設置出来るように、ほぼコの字型でシートを挟みこめ、さらに支え部と差し込み部が中央部分となるように形成したことである。
【００１２】
車のシートの裏面にティッシュボックスを設置出来るように、ほぼコの字型でシートを挟みこめ、さらに支え部と差し込み部が少なくとも左か右に位置するように形成したことである。
【００１３】
パイプ材や合成樹脂さらに金属などで形成したことである。
【００１４】
被設置体との接触部分に弾性体などをすべり防止材としてコーティングしたり配設したことである。
【発明の効果】
【００１５】
本発明は、自動車用においては、オーバーヘッドのルームランプの取り付け部に差し込んだり、助手席のサンバイザーに挟み込んだり、助手席のシートの背もたれを挟み込み、助手席のシートの脇、助手席のシートの背もたれの裏側など、任意の位置に固定設置できる。そのため自動車の走行中でも、ブラブラ動かず固定してあるため、手を伸ばすとすぐにティッシュが取り出せ、交通安全に寄与出来て大変使い勝手が良くなる。
【００１６】
また、家庭内用においては、食事用テーブルの下面、台所の食器タナの下面、テーブルの下面、ベッドの手すり、ベッドのヘッドテーブル、ベッドスプリング脇、机の脇などいろいろな余剰空間に、挟み込み使用でき、差し込み部と支え部によりティッシュボックスを強固に保持出来るようになり、かつ、置き場所が定まり、ティッシュを使用するときに、いちいち探すことがなくなり、大変使い勝手が良くなる。
【発明を実施するための形態】
【００１７】
以下、本発明の実施の形態を説明する。
【実施例１】
【００１８】
（イ）例えば、図１、図２、図３、図４、図５に示すように、合成樹脂をコーティングした、太さが直径５ミリメートルほどで、長さが７５センチメートルの線材で形成されたティッシュボックスホルダー（１）の、ほぼ半分の中央の位置を基準にして、中央地点より５．５センチメートルの地点で内寸の間隔がほぼ３．５センチメートルとなるようなＵの字状に曲げて左右の２本の挟み込み部（２）を形成する。
【００１９】
（ロ）中央地点より１０．５センチメートルの地点で、ほぼ５センチメートルとなるような内寸の間隔を開けて、左右の２本共ほぼ９０度の角度に曲げて左右の２本の連結部Ａ（３）を形成する。
【００２０】
（ハ）中央地点より１３．５センチメートルの地点で、ほぼ３センチメートルとなるような挟み込み部（２）との内寸の間隔を開けつつ、さらに、左右２本共それぞれ相対する挟み込み部（２）の線とほぼ４０度の角度差を設け、それぞれ外側にほぼ９０度の角度に曲げて左右の２本の支え部（４）を形成する。
【００２１】
（ニ）中央地点より２９センチメートルの地点で、支え部（４）と水平状となるように、ほぼ１００度の角度に曲げて左右の２本の連結部Ｂ（５）を形成する。
【００２２】
（ホ）中央地点より３２．５センチメートルの地点で、支え部（４）と差し込み部（６）がティッシュボックスの底面に差し込んだ時に反発作用が発生し、ティッシュボックスを強固に保持できるようにするために、支え部（４）の線よりほぼ７度の角度で挟み込み部（２）方向に向け、かつ、連結部Ｂに対してほぼ１００度の角度に曲げて左右の２本の差し込み部（６）を形成する。
【００２３】
（ヘ）中央地点より１５センチメートル付近に、ティッシュボックスの底面のズレや抜け防止のため、弾性体、金属、合成樹脂などで出来た止め部（７）を左右の２本に設ける。
【００２４】
（ト）抜け防止のために差し込み部（６）の上部に、ティッシュボックスの外装の内面の紙に引っ掛るように傘状やトゲ状の引っ掛け部（８）を左右の２本にそれぞれ複数設ける。
【００２５】
（チ）設置時に、被着体と接触する部分に弾性体などのすべり止めを設けたり、コーティングしても良い。
【実施例２】
【００２６】
（イ）例えば、図６、図７、図８、図９に示すように、合成樹脂をコーティングした、太さが直径５ミリメートルほどで、長さが１１０センチメートルの線材で形成されたティッシュボックスホルダー（２１）の、ほぼ半分の中央の位置を基準にして、左右へ６．５センチメートルの地点よりほぼ内寸の間隔がほぼ１２．５センチメートルとなるようなコの字状に曲げて左右の２本の挟み込み部Ａ（２２）を形成する。
【００２７】
（ロ）中央地点より１９．５センチメートルの地点で、Ｌ字状となるように左右の２本共ほぼ９０度の角度に曲げて左右の２本の連結部Ａ（２３）を形成する。
【００２８】
（ハ）中央地点よりほぼ長さ３２．５センチメートルの地点を、コの字状となるようにほぼ９０度の角度に曲げて、左右の２本の支え部兼挟み込み部（９）を形成する。
【００２９】
（ニ）中央地点よりほぼ長さ４５．５センチメートルの地点を、コの字状の外側に向けてほぼ９０度の角度となるように曲げて、左右の２本の連結部Ｂ（２５）を形成する。
【００３０】
（ホ）中央地点よりほぼ長さ５０．５センチメートルの地点で、支え部兼挟み込み部（９）と差し込み部（２６）がティッシュボックスの底面に差し込んだ時に反発作用が発生し、ティッシュボックスを強固に保持できるようにするために、支え部兼挟み込み部（９）の線よりほぼ７度の角度で挟み込み部Ａ（２２）方向に向け、かつ、連結部Ｂ（２５）に対してほぼ１００度の角度に曲げて左右の２本の差し込み部（２６）を形成する。
【００３１】
（ヘ）中央地点より３４センチメートル付近に、ティッシュボックスの底面のズレや抜け防止のため、弾性体、金属、合成樹脂などで、できた止め部（２７）を左右の２本に設ける。
【００３２】
（ト）抜け防止のために差し込み部（２６）の上部に、ティッシュボックスの外装の内面の紙に引っ掛るように傘状やトゲ状の引っ掛け部（２８）を左右の２本にそれぞれ複数設ける。
【実施例３】
【００３３】
（イ）例えば、図１０、図１１、図１２、図１３に示すように、合成樹脂をコーティングした、太さが直径５ミリメートルほどで、長さが１３６センチメートルの線材で形成されたティッシュボックスホルダー（３１）の、ほぼ半分の中央の位置を基準にして、左右へ６．５センチメートルの地点よりほぼ内寸の間隔がほぼ１２．５センチメートルとなるようなコの字状に曲げて左右の２本の挟み込み部Ａ（３２）を形成する。
【００３４】
（ロ）中央地点より１９．５センチメートルの地点で、Ｌ字状となるように左右の２本共ほぼ９０度の角度に曲げて左右の２本の支え部兼連結部（１２）を形成する。
【００３５】
（ハ）中央地点よりほぼ長さ３２．５センチメートルの地点を、コの字状となるようにほぼ９０度の角度に曲げて、左右の２本の挟み込み部Ｂ（１０）を形成する。
【００３６】
（ニ）中央地点よりほぼ長さ４５．５センチメートルの地点を、コの字状の外側に向けてほぼ９０度の角度となるように曲げて、左右の２本の連結部Ｂ（３５）を形成する。
【００３７】
（ホ）中央地点よりほぼ長さ５０．５センチメートルの地点で、連結部Ｂ（３５）より挟み込み部Ｂ（１０）と略平行に挟み込み部Ｃ（１１）を左右２本形成する。
【００３８】
（ヘ）中央地点よりほぼ長さ６３．５センチメートルの地点で、支え部兼連結部（１２）と差し込み部（３６）がティッシュボックスの底面に差し込んだ時に反発作用が発生し、ティッシュボックスを強固に保持できるようにするために、支え部兼連結部（１２）と略平行で、かつ、挟み込み部Ｃ（１１）に対してほぼ８３度の角度に曲げて左右の２本の差し込み部（３６）を形成する。
【００３９】
（ト）中央地点より２０．５センチメートル付近に、ティッシュボックスの底面のズレや抜け防止のため、弾性体、金属、合成樹脂などで、できた止め部（３７）を左右の２本に設ける。
【００４０】
（チ）抜け防止のために差し込み部（３６）の上部に、ティッシュボックスの外装の内面の紙に引っ掛るように傘状やトゲ状の引っ掛け部（３８）を左右の２本にそれぞれ複数設ける。
【００４１】
本発明は、以上の構成からなるので本発明を使用するときは、車用においては、オーバーヘッドのルームランプの取り付け部に差し込んだり、助手席のサンバイザーに挟み込んだり、助手席のシートの背もたれを挟み込み、助手席のシートの脇、助手席のシートの背もたれの裏側など、任意の位置に固定設置できる。そのため車が動いている時でも、ブラブラ動かず固定でき、手を伸ばすとすぐにティッシュが取り出せるため、大変使い勝手が良くなる。
【００４２】
また、室内用においては、食事用テーブルの下面、台所の食器タナの下面、テーブルの下面、ベッドの手すり、ベッドのヘッドテーブル、ベッドスプリング脇、机の脇などいろいろな余剰空間に、挟み込み使用でき、差し込み部と支え部によりティッシュボックスを強固に保持出来るようになり、かつ、置き場所が定まり、ティッシュを使用するときに、いちいち探すことがなくなり、大変使い勝手が良くなる。
【００４３】
本発明はこれまで説明した線材に限らず、パイプ材、合成樹脂材、金属材などで形成しても良い。
【００４４】
また、被設置体との接触部分にすべり防止のため、弾性体などをコーティングしたり、配設しても良い。
【００４５】
また、前記実施例に限らず、網状の容器や差し込み口を形成したいろいろなものに広く応用できる。
【図面の簡単な説明】
【００４６】
【図１】本発明の実施例１の斜視図である。
【図２】本発明の実施例１によるティッシュボックスホルダーをティッシュボックスに取り付けた斜視図である。
【図３】本発明の実施例１の正面図である。
【図４】本発明の実施例１の平面図である。
【図５】本発明の実施例１の右側面図である。
【図６】本発明の実施例２の斜視図である。
【図７】本発明の実施例２の正面図である。
【図８】本発明の実施例２の平面図である。
【図９】本発明の実施例２の右側面図である。
【図１０】本発明の実施例３の斜視図である。
【図１１】本発明の実施例３の正面図である。
【図１２】本発明の実施例３の平面図である。
【図１３】本発明の実施例３の右側面図である。
【図１４】本発明の実施例１の引っ掛け部の拡大図である。
【符号の説明】
【００４７】
１、２１、３１ティッシュボックスホルダー
２、２２、３２    挟み込み部Ａ
３、２３、        連結部Ａ
４                支え部
５、２５、３５    連結部Ｂ
６、２６、３６    差し込み部
７、２７、３７    止め部
８、２８、３８    引っ掛け部
９      支え部兼挟み込み部  
１０    挟み込み部Ｂ
１１    挟み込み部Ｃ
１２    支え部兼連結部
１３    ティッシュボックス
１４    ティッシュ取り出し口
１５      芯材      
１６    合成樹脂        
【図１】
2015044596.tif 000003
【図２】
2015044596.tif 000004
【図３】
2015044596.tif 000005
【図４】
2015044596.tif 000006
【図５】
2015044596.tif 000007
【図６】
2015044596.tif 000008
【図７】
2015044596.tif 000009
【図８】
2015044596.tif 000010
【図９】
2015044596.tif 000011
【図１０】
2015044596.tif 000012
【図１１】
2015044596.tif 000013
【図１２】
2015044596.tif 000014
【図１３】
2015044596.tif 000015
【図１４】
2015044596.tif 000016